(57)【要約】【課題】  地震等災害の発生やその規模等を通知する手段として音声と警告灯が一般的であるが、災害認識となると、音声は僅かな認識遅れを生じ警告灯は場所により認識できないという問題が生じ得る。地震災害ではその発生から揺れ始めまでの短い時間内に火を消す、避難経路を確保する、安全な位置に身を置く等の安全行動をとれるか否か、が被害の大きさにつながる。そのため、災害発生を瞬時に表示できること、またその表示を全ての人が認識できること、が課題となる。【解決手段】  災害発生を瞬時に通知できる装置からその発生を意味する信号を受信すること、またそれをＬＥＤ照明装置１に設ける災害情報表示ＬＥＤ装置２のＬＥＤの発光色、明度またはそれらの変化によって災害の種類や予測規模等を表示することにより、火を消す、避難経路を確保する、安全な位置に身を置く、安全な場所に避難する等の行動をとることができる。【選択図】図１
2016206848.tif 000002
【特許請求の範囲】
【請求項１】
ＬＥＤ照明装置に設けられる災害情報表示ＬＥＤ装置であって、所定の表示態様で発光するＬＥＤ発光部とＬＥＤ発光部を表示制御するＬＥＤ発光制御部と、を備え、ＬＥＤ発光制御部は、外部機器から発信される災害の種類を示す災害発生信号に基づき、複数種類の表示態様の中から、特定の表示態様を選択し、選択した特定の表示態様で、ＬＥＤ発光部を表示制御する災害情報表示ＬＥＤ装置。
【請求項２】
ＬＥＤ発光部は複数のＬＥＤチップが配列され、ＬＥＤ発光制御部は、各ＬＥＤチップの発光色、明度またはこれらの変化態様が災害の種類に応じて異なる表示態様となるようにＬＥＤ発光部を表示制御する請求項１に記載の災害情報表示ＬＥＤ装置。
【発明の詳細な説明】
【技術分野】
【０００１】
大地震発生の懸念が高まる中、東日本大震災をきっかけに減災という概念が生まれ災害を予測し未然にその被害の最小限化を図る取り組みが広がりつつあるが、本発明は地震、津波、火災等の災害が発生した時にその被害を最小限に食い止めるべく効果的な緊急行動をとれるようにするための災害情報表示技術に関するものである。
【背景技術】
【０００２】
地震の予測は難しいもののＰ波受信すなわち初期微動発生の検知からＳ波受診すなわち主要動到来までの時間の予測や震度予測は緊急地震速報受信装置等で可能となっている。また現在、地震や火災等の災害発生の通知手段を音声と警告灯との両方で行うのが一般的となっている（例えば、非特許文献１参照。）。
【先行技術文献】
【非特許文献】
【０００３】
【非特許文献１】筑波技術大学産業技術学部総合デザイン学科伊藤三千代他著  「照明器具を利用した緊急情報伝達システムに関する研究  −  その１  緊急時における聴覚障害者の行動及び必要とされる情報について  −」  筑波技術大学テクノレポートＶｏｌ．１８（１）  Ｄｅｃ．２０１０年
【発明の概要】
【発明が解決しようとする課題】
【０００４】
このように、緊急地震速報受信装置や火災報知設備等からの信号は災害発生を瞬時に通知するものであり、災害発生を素早く認識するためにはこれらの信号を用いた仕組みにする必要がある。
【０００５】
しかし、前述したように音声による通知では認識に僅かな時間がかかるため秒を争うような状況の中では対処の遅れによって命取りになる可能性が生まれる、同様に警告灯による通知では近くに居ない人には災害は認識できない、といった問題点がある。
【０００６】
本発明はこれらの課題や問題点を解決して、広く人々が災害発生を最小限の遅れで認識できるようにすることにより、火を消す、避難経路を確保する、安全な位置に身を置く、安全な場所に避難する、といった緊急安全行動を可能とし、被害の拡大や二次災害の発生を抑止することを目的としている。
【課題を解決するための手段】
【０００７】
上記目的を達成するために、本発明の災害情報表示ＬＥＤ装置は前記緊急地震速報受診装置等からの地震発生信号や火災報知設備等からの火災発生信号を受け、殆どの人が常時感知できる照明装置の発光の色、明度またはそれらの変化によって災害発生やその種類、規模等の情報を表示することを特徴とする。
【０００８】
本発明は照明装置に設けた災害情報表示ＬＥＤ装置内の災害発生表示用ＬＥＤチップの光の変化によって災害の発生や発生した災害の種類、災害の予測規模等を瞬時に広く通知するものである。
【発明の効果】
【０００９】
以上説明したように、本発明は災害発生時にその情報を素早くかつ広く人々に知らせて緊急安全行動を促すことで、人的被害および二次災害を抑止することに寄与する。
【図面の簡単な説明】
【００１０】
【図１】は本発明の災害情報表示ＬＥＤ装置の接続構成を示す図である。
【図２】はＬＥＤ照明装置内の災害情報表示ＬＥＤ装置の見かけの実装イメージを示す図である。
【発明を実施するための形態】
【００１１】
以下に本発明の実施形態に係る実施例について説明する。
【実施例】
【００１２】
図１は災害情報表示ＬＥＤ装置２の接続構成を示したものである。本発明の災害情報表示ＬＥＤ装置２はＬＥＤ照明装置１内にあり、災害情報入力部３、災害情報表示ＬＥＤ発光制御部４、災害表示用ＬＥＤ発光部５よりなる。
【００１３】
災害情報表示ＬＥＤ装置２は、その入力として無電圧ループ接点入力信号線１３のｃｈ１〜ｃｈｎの複数の災害発生信号とすることができる。例えば、ｃｈ１を地震発生信号、ｃｈ２を火災発生信号、とすることができる。
【００１４】
地震が発生した場合について述べる。例えば、気象庁から緊急地震速報が発せられると、インターネットを経由して、緊急地震速報受信装置８がそれをキャッチし、予測震度や津波発生リスクの有無を含めて無電圧ループ接点入力信号線１３のｃｈ１を開から閉に変化させる。
【００１５】
これを災害情報表示ＬＥＤ装置２が入力し地震発生と判断し、予測震度、津波リスクの有無を含めて地震の概要を表示する、災害の状況に応じて火を消す、避難経路を確保する、安全な場所に身を置く、安全な場所に避難する等の緊急行動を促すことができる。このような行動は災害の状況に応じて個々の災害表示ＬＥＤチップに予め設定した色とその明るさ、またはそれらの変化によって表示させることによって指示される。
【００１６】
地震とは別に火災の例として、建物内にある火災報知設備９から火災発生時に出力される無電圧ループ接点信号線１３をｃｈ２として取り込み、地震発生の際と同様に災害発生表示用ＬＥＤチップ７に火災発生の意味を持たせた色、明るさとその変化で発光させる。災害とＬＥＤ発光の色、明度等の対応はマニュアル等で広く認識の徹底を図っておく必要がある。
【００１７】
さらに、各災害発生表示用ＬＥＤチップ７を点滅させるように明度を変化させることにより避難方向を示す等、避難誘導を支援することもできる。
【符号の説明】
【００１８】
１------ＬＥＤ照明装置
２------災害情報表示ＬＥＤ装置
３------災害情報入力部
４------災害情報表示ＬＥＤ発光制御部
５------災害表示用ＬＥＤ発光部
６------照明用ＬＥＤ発光部
７------災害発生表示用ＬＥＤチップ
８------緊急地震速報受信装置
９------火災報知設備
１０----インターネット網
１１----無線ＬＡＮ信号
１２----有線ＬＡＮ信号
１３----無電圧ループ接点入力信号線（ｃｈ１〜ｃｈｎ）
１４----電源供給線
【図１】
2016206848.tif 000003
【図２】
2016206848.tif 000004